(57)【要約】【課題】定格電力モード及び省電力モードに対応でき、光源の長寿命化を図ることのできる光源駆動回路を提供すること。【解決手段】放電管からなる光源４１７を駆動し、該光源４１７を定格電力及び省電力で点灯させる複数の点灯モードに切り換える制御手段９４を備えた光源駆動回路９において、制御手段９４は、複数の点灯モードのいずれかに設定する点灯モード設定部９４４と、光源の点灯開始時、放電管のハロゲンサイクルが安定するまで、該光源に定格電力を与える定格電力付与部９４１とを備え、放電管のハロゲンサイクルの安定化後、点灯モード設定部９４４で設定された点灯モードに移行するような制御を行う。【選択図】  図１０
2004207018.tif 000002
【特許請求の範囲】
【請求項１】
放電管からなる光源を駆動し、該光源を定格電力及び省電力で点灯させる複数の点灯モードに切り換える制御手段を備えた光源駆動回路であって、
前記制御手段は、前記複数の点灯モードのいずれかに設定する点灯モード設定部と、前記光源の点灯開始時、前記放電管のハロゲンサイクルが安定するまで、該光源に定格電力を与える定格電力付与部とを備え、前記放電管のハロゲンサイクルの安定化後、前記点灯モード設定部で設定された点灯モードに移行することを特徴とする光源駆動回路。
【請求項２】
請求項１に記載の光源駆動回路において、
前記複数の点灯モード間の移行は、１秒以上の時間をかけて行われることを特徴とする光源駆動回路。
【請求項３】
請求項２に記載の光源駆動回路において、
前記点灯モード間の移行は、移行時の電力を段階的に変化させて行われることを特徴とする光源駆動回路。
【請求項４】
請求項２に記載の光源駆動回路において、
前記点灯モード間の移行は、移行時の電力を直線的に変化させて行われることを特徴とする光源駆動回路。
【請求項５】
請求項２に記載の光源駆動回路において、
前記点灯モード間の移行は、時間とともに電力の変化率を変えて曲線的に変化させて行われることを特徴とする光源駆動回路。
【請求項６】
請求項１〜請求項５のいずれかに記載の光源駆動回路において、
入力される直流電流を交流電流に変換するインバータブリッジを備えていることを特徴とする光源駆動回路。
【請求項７】
光源から射出された光束を画像情報に応じて変調して光学像を形成し、該光学像を拡大投写するプロジェクタであって、
請求項１〜請求項６のいずれかに記載の光源駆動回路を備えていることを特徴とするプロジェクタ。
【請求項８】
放電管からなる光源を駆動し、該光源を定格電力及び省電力で点灯させる複数の点灯モードに切り換える制御手段を備えた光源駆動回路で実施され、前記光源の点灯を制御する光源の点灯制御方法であって、
前記制御手段が、
前記複数の点灯モードのいずれかを設定するステップと、
前記光源の点灯時、前記放電管のハロゲンサイクルが安定するまで、前記光源に定格電力を与えるステップと、
前記放電管のハロゲンサイクルの安定化後、前記点灯モード設定ステップで設定された点灯モードに移行するステップとを実施することを特徴とする光源の点灯制御方法。
【請求項９】
放電管からなる光源を駆動し、該光源を定格電力及び省電力で点灯させる複数の点灯モードに切り換える制御手段を備えた光源駆動回路で実施される光源の点灯制御方法を、前記制御手段で実行させるコンピュータ読み取り可能なプログラムであって、
前記複数の点灯モードのいずれかを設定するステップと、
前記光源の点灯時、前記放電管のハロゲンサイクルが安定するまで、前記光源に定格電力を与えるステップと、
前記放電管のハロゲンサイクルの安定化後、前記点灯モード設定ステップで設定された点灯モードに移行するステップとを前記制御手段で実行させることを特徴とするプログラム。
【発明の詳細な説明】
【０００１】
【発明の属する技術分野】
本発明は、放電管からなる光源を駆動し、該光源を定格電力及び省電力で点灯させる複数の点灯モードに切り換える制御手段を備えた光源駆動回路、この光源駆動回路を備えたプロジェクタ、放電管からなる光源を駆動し、該光源を定格電力及び省電力で点灯させる複数の点灯モードに切り換える制御手段を備えた光源駆動回路で実施され、光源の点灯を制御する光源の点灯制御方法、及びプログラムに関する。
【０００２】
【背景技術】
従来より、光源から射出された光束を画像情報に応じて変調し、拡大投写するプロジェクタが利用されており、近年、このようなプロジェクタは、企業におけるパーソナルコンピュータでプレゼンテーションを行ったり、家庭内で映画等を見たり、種々の用途に用いられている。
ここで、企業等におけるプレゼンテーションでは、遠くにいる観察者に対しても投写画像がよく見えるように、光源を高輝度で点灯させる必要がある一方、家庭内では、比較的近接した距離で観察するので、プレゼンテーションの場合のように高輝度に点灯させる必要がない。
このため、近年のプロジェクタでは、プレゼンテーション用の定格電力モード、ホームシアター用途の省電力モードの複数種類で光源を点灯させ、いずれの用途にも適用できるようになってきている。
一方、このようなプロジェクタに使用される光源として、高輝度及び安定発光をさせるために、放電管内にハロゲンガスを封入した高圧水銀ランプや、メタルハライドランプが採用されている（例えば、特許文献１、特許文献２参照）
【０００３】
【特許文献１】
特開平１１−２９７２６８号公報（〔０００２〕段落）
【特許文献２】
特開平９−２７４８８６号公報（〔０００３〕段落）
【０００４】
【発明が解決しようとする課題】
しかしながら、前記特許文献１及び特許文献２に示されるような光源において、省電力モードで点灯を開始させると、初めから定格電力を下回る電力で光源を点灯させることとなるため、電極が十分に暖められず、適切なハロゲンサイクルを確保できず、放電管の黒色化等により光源の寿命が少なくなる可能性がある。
【０００５】
本発明の目的は、定格電力モード及び省電力モードに対応でき、光源の長寿命化を図ることのできる光源駆動回路、プロジェクタ、光源の点灯制御方法、及びこの方法を実行させるコンピュータ読み取り可能なプログラムを提供することにある。
【０００６】
【課題を解決するための手段】
本発明の光源駆動回路は、放電管からなる光源を駆動し、該光源を定格電力及び省電力で点灯させる複数のモードに切り換える制御手段を備えた光源駆動回路であって、前記制御手段は、前記複数の点灯モードのいずれかに設定する点灯モード設定部と、前記光源の点灯開始時、前記放電管のハロゲンサイクルが安定するまで、該光源に定格電力を与える定格電力付与部とを備え、前記放電管のハロゲンサイクルの安定化後、前記点灯モード設定部で設定された点灯モードに移行することを特徴とする。
【０００７】
ここで、光源としては、放電方式の発光体であれば種々のものを採用することができ、例えば、メタルハライドランプ、高圧水銀ランプ、ハロゲンランプ等を採用することができる。
また、制御手段は、光源駆動回路上に実装されるマイクロコンピュータとして構成することができ、前記機能を達成するのであれば、４ビット程度のマイコンを採用することができる。
【０００８】
この発明によれば、光源の点灯開始時、定格電力付与部により、一定時間光源が定格電力で点灯されるため、放電管の電極が十分に加熱され、適切なハロゲンサイクルを確保することができる。従って、その後、省電力モードに移行しても、放電管の発光により、内部の温度が保持されるので、ハロゲンサイクルが維持され、光源を省電力モード、定格電力モードのいずれにも対応することができ、かつ光源の長寿命化を図ることができる。
【０００９】
本発明では、複数の点灯モード間の移行は、１秒以上の時間をかけて行われるのが好ましい。
ここで、点灯モード間の移行方法としては、次に示されるような方法が考えられる。
(1)移行時の電力を段階的に変化させて点灯モード間の移行を行うことが考えられる。
(2)移行時の電力を直線的に変化させて点灯モード間の移行を行うことが考えられる。
(3)移行時の電力を、時間とともに電力の変化率を変えて曲線的に変化させて行われることが考えられる。
【００１０】
これらの発明によれば、点灯モード間の切り換えを１秒以上の時間をかけて行っているため、プロジェクタ等の光源として使用した際、画面の明るさのちらつきを防止することができる。
すなわち、時間をかけずに瞬時に点灯モード間の切り換えを行うと、放電管の電極の温度分布が変わり、放電ポイントが変化することにより、アークのちらつきが生じ、これに伴い画面にちらつきが生じてしまう。これらの発明では、１秒という時間をかけて徐々に点灯モード間の移行を行っているので、電極の放電面に凹凸が形成されることがなく、画面のちらつきを防止することができる。
また、(1)のような移行方法を採用することにより、電力の変化がデジタル的に行われるため、マイコン等で制御する際に好適である。
さらに、(2)、(3)のような移行方法を採用することにより、電力の変化が連続的に行われるため、移行をスムースに行うことができる。
【００１１】
本発明では、光源駆動回路入力される直流電流を交流電流に変換するインバータブリッジを備えているのが好ましい。
ここで、インバータブリッジを構成する回路素子としては、トランジスタや電界効果トランジスタを採用することができる。
この発明によれば、インバータブリッジを備えることにより、交流駆動式の光源を採用することができるため、直流式の光源に比較して光源を明るく発光させることができる。
【００１２】
本発明のプロジェクタは、光源から射出された光束を画像情報に応じて変調して光学像を形成し、該光学像を拡大投写するプロジェクタであって、前述したいずれかの光源駆動回路を備えていることを特徴とする。
この発明によれば、前述の通り、光源の定格モード及び省電力モードに対応でき、かつ光源の長寿命化を図ることのできるプロジェクタとすることができる。また、このように光源を省電力モードで点灯させることができるため、プロジェクタ内部の温度上昇を少なくすることができ、プロジェクタ内部の冷却ファンの回転数を落として運転させることができ、プロジェクタの静粛性が向上する。
【００１３】
本発明の光源の点灯制御方法は、放電管からなる光源を駆動し、該光源を定格電力及び省電力で点灯させる複数の点灯モードに切り換える制御手段を備えた光源駆動回路で実施され、前記光源の点灯を制御する光源の点灯制御方法であって、前記制御手段が、前記複数の点灯モードのいずれかを設定するステップと、前記光源の点灯時、前記放電管のハロゲンサイクルが安定するまで、前記光源に定格電力を与えるステップと、前記放電管のハロゲンサイクルの安定化後、前記点灯モード設定ステップで設定された点灯モードに移行するステップとを実施することを特徴とする。
本発明のコンピュータ読み取り可能なプログラムは、前記各ステップを光源駆動回路の制御手段に実行させることを特徴とする。
これらの発明によっても、前述した作用及び効果と同様の作用及び効果を享受することができる。
【００１４】
【発明の実施の形態】
以下、本発明の実施の一形態を図面に基づいて説明する。
（１）外観構成
図１および図２には、本発明の実施形態に係るプロジェクタ１が示されており、図１は上方前面側から見た斜視図であり、図２は下方背面側から見た斜視図である。
このプロジェクタ１は、光源から射出された光束を画像情報に応じて変調し、スクリーン等の投写面上に拡大投写する光学機器であり、後述する光学ユニットを含む装置本体を内部に収納する外装ケース２および外装ケース２から露出する投写レンズ３を備えている。このプロジェクタ１は、大型店舗内や、パブリックスペース等に設置され、投写画像を大画面表示することによって、多数の観察者に映像情報を提供するものである。
投写レンズ３は、後述する光変調装置としての液晶パネルにより光源から射出された光束を画像情報に応じて変調形成された光学像を拡大投写する投写光学系としての機能を具備するものであり、筒状の鏡筒内に複数のレンズが収納された組レンズとして構成される。
【００１５】
筐体としての外装ケース２は、投写方向に沿った奥行き寸法がこれに直交する幅方向寸法よりも大きな直方体形状をなし、装置本体を覆う面状体１０と、ケース強度を負担する後述するフレーム体とを備えて構成されている。
面状体１０は、装置本体の上部を覆うアッパーケース１１と、装置本体の下部を覆うロアーケース１２と、装置本体の前面部分を覆うフロントケース１３とを備えている。これら各ケース１１〜１３は、射出成形等によって成形された合成樹脂製の一体成形品である。
【００１６】
アッパーケース１１は、装置本体の上部を覆う筐体上面部１１Ａと、この筐体上面部１１Ａの幅方向端部から略垂下する筐体側面部１１Ｂ、１１Ｃと、筐体上面部１１Ａの後端部から略垂下する筐体背面部１１Ｄとを備えている。
このアッパーケース１１の筐体上面部１１Ａと、筐体側面部１１Ｂ、１１Ｃとが交差する稜線部分には、プロジェクタ１の投写方向略中央から後端側に向かって面取加工が施され、稜線に沿って凹状にへこんだ凹部１１１が形成されている。この凹部１１１は、プロジェクタ１を２台スタックさせた際に、２台のプロジェクタ１を連結するパイプ状の支持部材を挿入するために形成されている。
また、筐体側面部１１Ｂには、冷却空気導入用のスリット状の開口部１１２が形成されている。
【００１７】
筐体上面部１１Ａの略中央部分には、プロジェクタ１の起動・調整操作を行うための操作パネル１４が設けられている。この操作パネル１４は、起動スイッチ、画像・音声等の調整スイッチを含む複数のスイッチを備え、プロジェクタ１による投写時には、操作パネル１４中の調整スイッチ等を操作することにより、画質・音量等の調整を行うことができる。
また、筐体上面部１１Ａの投写方向前方には、複数の孔１４１が形成されていて、この内部には、後述する音声出力用のスピーカが収納されている。
これら操作パネル１４およびスピーカは、後述する装置本体を構成する制御基板と電気的に接続され、操作パネル１４による操作信号はこの制御基板で処理される。
【００１８】
筐体背面部１１Ｄは、ほぼ全面が開口された枠状に構成され、この開口部分には、画像信号等を入力するためのコネクタ群１５が露出するとともに、その隣は、光源装置を収納する開口部とされ、通常は、光源装置収納用の蓋部材１６によって覆われている。尚、コネクタ群１５は、後述する制御基板と電気的に接続され、コネクタ群１５を介して入力した画像信号は、制御基板によって処理される。
また、筐体上面部１１Ａの後端部及び筐体背面部１１Ｄの上端部分は、アッパーケース１１から脱着可能な蓋部材１１３が取り付けられていて、詳しくは後述するが、この蓋部材１１３内部には、ＬＡＮボード等の拡張基板を挿入することができるようになっている。
【００１９】
ロアーケース１２は、アッパーケース１１との係合面を中心としてアッパーケース１１と略対称に構成され、筐体底面部１２Ａ、筐体側面部１２Ｂ、１２Ｃ、および筐体背面部１２Ｄを備えている。
そして、筐体側面部１２Ｂ、１２Ｃ、および筐体背面部１２Ｄは、その上端部分でアッパーケース１１の筐体側面部１１Ｂ、１１Ｃ、及び筐体背面部１１Ｄの下端部分と係合する。尚、筐体背面部１２Ｄは、アッパーケース１１の筐体背面部１１Ｄと同様に、ほぼ全面が開口され、係合後の開口部分から前述したコネクタ群１５が露出するとともに、両開口部分に跨って蓋部材１６が取り付けられる。
また、筐体背面部１２Ｄの角隅部には、さらに開口部が形成されており、この開口部からインレットコネクタ１７が露出している。さらに、筐体側面部１２Ｂには、アッパーケース１１の筐体側面部１１Ｂに形成された開口部１１２に応じた位置に開口部１２２が形成されている。
【００２０】
筐体底面部１２Ａには、プロジェクタ１の後端側略中央に固定脚部１８が設けられているとともに、先端側幅方向両端に調整脚部１９が設けられている。
調整脚部１９は、筐体底面部１２Ａから面外方向に進退自在に突出する軸状部材から構成され、軸状部材自体は、外装ケース２の内部に収納されている。このような調整脚部１９は、プロジェクタ１の側面部分に設けられる調整ボタン１９１を操作することにより、筐体底面部１２Ａからの進退量を調整することができる。
これにより、プロジェクタ１から射出された投写画像の上下位置を調整し、適切な位置に投写画像を形成することができるようになる。
【００２１】
また、筐体底面部１２Ａには、筐体底面部１２Ａの略中央に投写方向に沿って延びる凸条のリブ状部２０と、このリブ状部２０と直交するようにプロジェクタ１の幅方向に沿って延びる複数のリブ状部２１、２２とが形成されている。そして、中間部分の２本のリブ状部２１の間には、詳しくは後述するが、外部から冷却空気を取り込むための吸気用開口部が形成されていて、フィルタ２３によって覆われている。このフィルタ２３で塞がれた吸気用開口部の後端側には、やはり冷却空気取り込み用の吸気用開口部２４が形成されているが、フィルタで覆われる構成とはなっていない。
プロジェクタ１の幅方向に沿って延びるリブ状部２１、２２の端部には、ねじ孔２１Ａが４箇所形成されている。このねじ孔２１Ａには、プロジェクタ１を天井吊り下げとした場合の天井吊り下げ用の金具が装着される。
さらに、筐体底面部１２Ａの装置後端側端縁には、係合部２６が形成されており、この係合部２６には、前述したコネクタ群１５を覆って塵埃等がこれらに付着することを防止するためのカバー部材が取り付けられるようになっている。
【００２２】
フロントケース１３は、前面部１３Ａおよび上面部１３Ｂを備えて構成され、前面部１３Ａの外周部分には、面外方向に延びるリブ１３Ｃが形成されており、アッパーケース１１、ロアーケース１２の投写方向先端側とこのリブ１３Ｃが係合する。
前面部１３Ａは、ロアーケース１２の筐体底面部１２Ａからアッパーケース１１の筐体上面部１１Ａに向かって装置後端側に傾斜しており、投写面から遠ざかるように傾斜している。このようにしたのは、プロジェクタ１を天井吊り下げにした際に、フロントケース１３の前面部１３Ａが下面を向くので、フロントケース１３に塵埃が付着しにくくなるためであり、通常設置の状態よりもメンテナンスしにくい天井吊り下げの場合を考慮したためである。
【００２３】
このような前面部１３Ａの略中央部分には開口部２７が形成されており、この開口部２７からは投写レンズ３が露出する。
この開口部２７には、隣接してスリット状の開口部２８が形成されており、プロジェクタ１の装置本体内部を冷却した空気は、この開口部２８から排出される。
さらに、前面部１３Ａの角隅部近傍には、孔２９が形成されており、この孔２９からは、不図示のリモートコントローラの操作信号を受信するための受光部３０がある。
尚、本例においては、プロジェクタ１の背面側にも受光部３０が設けられており、図２に示されるようにアッパーケース１１の筐体背面部１１Ｄの角隅部に受光部３０がある。これにより、リモートコントローラを使用する場合、装置前面側、装置背面側のいずれの方向からもリモートコントローラの操作信号を受信することができるようになっている。
【００２４】
上面部１３Ｂは、アッパーケース１１の筐体上面部１１Ａの略中央まで延出し、具体的には図示を略したが、投写レンズ３の基端部近傍まで達している。このようにしたのは、投写レンズ３を変更する際に、フロントケース１３を取り外すだけで投写レンズ３を交換できるようにするためであり、アッパーケース１１およびロアーケース１２からフロントケース１３を取り外すと、上面部１３Ｂが外れて開口され、投写レンズ３の基端部取付部分が露出するようになっている。
【００２５】
（２）内部構成
このような外装ケース２の内部には、図３〜図５に示されるように、プロジェクタ１の装置本体が収納されており、この装置本体は、光学ユニット４、制御基板５、および電源ブロック６を備えて構成される。
(2-1)光学ユニット４の構造
光学エンジンとしての光学ユニット４は、光源装置から射出された光束を画像情報に応じて変調して光学像を形成し、投写レンズ３を介してスクリーン上に投写画像を形成するものであり、図５に示されるように、ライトガイド４０という光学部品用筐体内に、光源装置や、種々の光学部品等を組み込んだものとして構成される。
このライトガイド４０は、下ライトガイド４０１、上ライトガイド４０２から構成され、それぞれは、射出成形等による合成樹脂製品である。
【００２６】
下ライトガイド４０１は、図６に示されるように、後述する光源装置が収納される光源収納部４０１Ａ及び光学部品を収納する部品収納部４０１Ｂを備え、この部品収納部４０１Ｂは、底面部４０１Ｃ及び側壁部４０１Ｄからなる上部が開口された容器状に形成され、側壁部４０１Ｄには、複数の溝部４０１Ｅが設けられている。この溝部４０１Ｅには、光学ユニット４を構成する種々の光学部品が装着され、これにより各光学部品は、ライトガイド４０内に設定された照明光軸上に精度よく配置される。上ライトガイド４０２は、この下ライトガイド４０１に応じた平面形状を有し、下ライトガイド４０１の上面を塞ぐ蓋状部材として構成される。
また、下ライトガイド４０１の光束射出側端部には、金属製の側面略Ｌ字状のヘッド体４０３が配置され、このヘッド体４０３のＬ字水平部分には、後述する光学装置４４が取り付けられるとともに、Ｌ字垂直部分には、投写レンズ３の基端部分が接合固定される。
【００２７】
このようなライトガイド４０内は、図７に示されるように、インテグレータ照明光学系４１と、色分離光学系４２と、リレー光学系４３と、光変調光学系および色合成光学系を一体化した光学装置４４とに機能的に大別される。尚、本例における光学ユニット４は、三板式のプロジェクタに採用されるものであり、ライトガイド４０内で光源から射出された白色光を三色の色光に分離する空間色分離型の光学ユニットとして構成されている。
インテグレータ照明光学系４１は、光源から射出された光束を照明光軸直交面内における照度を均一にするための光学系であり、光源装置４１１、平行化凹レンズ４１２、第１レンズアレイ４１３、第２レンズアレイ４１４、偏光変換素子４１５、および重畳レンズ４１６を備えて構成される。
【００２８】
光源装置４１１は、放射光源としての光源ランプ４１７、リフレクタ４１８、およびリフレクタ４１８の光束射出面を覆うフロントガラス４１９を備え、光源ランプ４１７から射出された放射状の光線を、平行化凹レンズ４１２及びリフレクタ４１８で反射して略平行光線とし、外部へと射出する。本例では、光源ランプ４１７として高圧水銀ランプを採用しているが、これ以外にメタルハライドランプやハロゲンランプを採用することもある。また、本例では、楕円面鏡からなるリフレクタ４１８の射出面に平行化凹レンズ４１２を配置した構成を採用しているが、リフレクタ４１８として放物面鏡を採用することもできる
【００２９】
第１レンズアレイ４１３は、照明光軸方向から見てほぼ矩形状の輪郭を有する小レンズがマトリクス状に配列された構成を具備している。各小レンズは、光源ランプ４１７から射出された光束を部分光束に分割し、照明光軸方向に射出する。各小レンズの輪郭形状は、後述する液晶パネル４４１Ｒ、４４１Ｇ、４４１Ｂの画像形成領域の形状とほぼ相似形をなすように設定される。例えば、液晶パネル４４１Ｒ、４４１Ｇ、４４１Ｂの画像形成領域のアスペクト比（横と縦の寸法の比率）が４：３であるならば、各小レンズのアスペクト比も４：３に設定される。
第２レンズアレイ４１４は、第１レンズアレイ４１３と略同様の構成であり、小レンズがマトリクス状に配列された構成を具備する。この第２レンズアレイ４１４は、重畳レンズ４１６とともに、第１レンズアレイ４１３の各小レンズの像を液晶パネル４４１Ｒ、４４１Ｇ、４４１Ｂ上に結像させる機能を有する。
【００３０】
偏光変換素子４１５は、第２レンズアレイ４１４からの光を１種類の偏光光に変換するものであり、これにより、光学装置４４での光の利用率が高められている。
具体的に、偏光変換素子４１５によって１種類の偏光光に変換された各部分光束は、重畳レンズ４１６によって最終的に光学装置４４の液晶パネル４４１Ｒ、４４１Ｇ、４４１Ｂ上にほぼ重畳される。偏光光を変調するタイプの液晶パネル４４１Ｒ、４４１Ｇ、４４１Ｂを用いたプロジェクタでは、１種類の偏光光しか利用できないため、ランダムな偏光光を発する光源ランプ４１７からの光束の略半分が利用されない。このため、偏光変換素子４１５を用いることにより、光源ランプ４１７から射出された光束を全て１種類の偏光光に変換し、光学装置４４における光の利用効率を高めている。なお。このような偏光変換素子４１５は、例えば、特開平８−３０４７３９号公報に紹介されている。
【００３１】
色分離光学系４２は、インテグレータ照明光学系４１から射出された光束を曲折する反射ミラー４２１と、２枚のダイクロイックミラー４２２，４２３と、反射ミラー４２４とを備え、ダイクロイックミラー４２２、４２３によりインテグレータ照明光学系４１から射出された複数の部分光束を赤（Ｒ）、緑（Ｇ）、青（Ｂ）の３色の色光に分離する機能を有している。尚、本例では、反射ミラー４２４は、下ライトガイド４０１に対して姿勢を調整することができるようになっている。
リレー光学系４３は、入射側レンズ４３１と、リレーレンズ４３３と、反射ミラー４３２、４３４とを備え、色分離光学系４２で分離された色光である赤色光を液晶パネル４４１Ｒまで導く機能を有している。
【００３２】
この際、色分離光学系４２のダイクロイックミラー４２２では、インテグレータ照明光学系４１から射出された光束のうち、赤色光成分と緑色光成分とは反射し、青色光成分は透過する。ダイクロイックミラー４２２によって透過した青色光は、反射ミラー４２４で反射し、フィールドレンズ４２５を通って、青色用の液晶パネル４４１Ｂに到達する。このフィールドレンズ４２５は、第２レンズアレイ４１４から射出された各部分光束をその中心軸（主光線）に対して平行な光束に変換する。他の液晶パネル４４１Ｇ、４４１Ｒの光入射側に設けられたフィールドレンズ４２５も同様である。
【００３３】
また、ダイクロイックミラー４２２を反射した赤色光と緑色光のうちで、緑色光は、ダイクロイックミラー４２３によって反射し、フィールドレンズ４２５を通って、緑色用の液晶パネル４４１Ｇに到達する。一方、赤色光は、ダイクロイックミラー４２３を透過してリレー光学系４３を通り、さらにフィールドレンズ４２５を通って、赤色光用の液晶パネル４４１Ｒに到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４２５に伝えるためである。なお、リレー光学系４３には、３つの色光のうちの赤色光を通す構成としたが、これに限らず、例えば、青色光を通す構成としてもよい。
【００３４】
光学装置４４は、入射された光束を画像情報に応じて変調してカラー画像を形成するものであり、色分離光学系４２で分離された各色光が入射される３つの入射側偏光板４４２と、各入射側偏光板４４２の後段に配置される光変調装置としての液晶パネル４４１Ｒ、４４１Ｇ、４４１Ｂと、各液晶パネル４４１Ｒ、４４１Ｇ、４４１Ｂの後段に配置される視野角補正板４４３および射出側偏光板４４４と、色合成光学系としてのクロスダイクロイックプリズム４４５とを備える。
【００３５】
液晶パネル４４１Ｒ、４４１Ｇ、４４１Ｂは、例えば、ポリシリコンＴＦＴをスイッチング素子として用いたものであり、図８に示されるように、液晶パネル４４１Ｇを例に取れば、パネル本体４４１１と、このパネル本体４４１１を収納する保持枠４４１２とを備えている。尚、以下の説明では、液晶パネル４４１Ｒ、４４１Ｂについては特段言及しないが、液晶パネル４４１Ｇと略同様の構成である。
パネル本体４４１１は、図示を略したが、対向配置される一対の透明基板内に液晶が密封封入されたものであり、一対の透明基板の入射側及び射出側には防塵ガラスが貼り付けられている。
保持枠４４１２は、パネル本体４４１１を収納する凹部を有する部材であり、その四隅部分には、孔４４１３が形成されている。
【００３６】
このような液晶パネル４４１Ｒ、４４１Ｇ、４４１Ｂの前段に配置される入射側偏光板４４２（図７参照）は、色分離光学系４２で分離された各色光のうち、一定方向の偏光光のみ透過させ、その他の光束を吸収するものであり、サファイアガラス等の基板に偏光膜が貼付されたものである。また、基板を用いずに、偏光膜をフィールドレンズ４２５に貼り付けてもよい。
視野角補正板４４３は、基板上に液晶パネル４４１Ｇで形成された光学像の視野角を補正する機能を有する光学変換膜が形成されたものであり、このような視野角補正板４４３を配置することにより、投写画像の視野角が拡大され、かつ投写画像のコントラストが大幅に向上する。
【００３７】
射出側偏光板４４４は、液晶パネル４４１Ｇで光変調された光束のうち、所定方向の偏光光のみ透過させ、その他の光束を吸収するものであり、本例では、２枚の第１偏光板（プリポラライザ）４４４Ｐ及び第２偏光板（アナライザ）４４４Ａから構成されている。このように射出側偏光板４４４を２枚構成としたのは、入射する偏光光を、第１偏光板４４４Ｐ、第２偏光板４４４Ａのそれぞれで按分させて吸収することにより、偏光光で発生する熱を両偏光板４４４Ｐ、４４４Ａで按分させ、それぞれの過熱を抑えるためである。
【００３８】
クロスダイクロイックプリズム４４５は、射出側偏光板４４４から射出され、各色光毎に変調された光学像を合成してカラー画像を形成するものである。
クロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
このクロスダイクロイックプリズム４４５の下面には、プリズム固定板４４５１が紫外線硬化型接着剤により固着されている。このプリズム固定板４４５１は、クロスダイクロイックプリズム４４５の対角線に沿って伸びる脚部４４５２を備え、各脚部４４５２の先端部分には孔４４５３が形成されている。
そして、光学装置４４は、この孔４４５３部分に挿入される不図示のねじ等によって前述したヘッド体４０３のＬ字水平分に接合固定される。
【００３９】
前述した液晶パネル４４１Ｇ、視野角補正板４４３、第１偏光板４４４Ｐ及び第２偏光板４４４Ａは、パネル固定板４４６を介してクロスダイクロイックプリズム４４５の光束入射端面に固定される。
パネル固定板４４６は、平面視略Ｃ字形状の固定部本体４４６１と、この固定部本体４４６１の先端側に腕部４４６２を介して突設されるピン４４６３とを備える。このうち、固定部本体４４６１のＣ字先端側縁には、視野角補正板４４３が固定される台座４４６４と、Ｃ字先端側縁に沿って延出し、視野角補正板４４３の外形位置基準となる位置決め部４４６４Ａが形成されている。
そして、液晶パネル４４１Ｇ、視野角補正板４４３、第１偏光板４４４Ｐ及び第２偏光板４４４Ａを、パネル固定板４４６によってクロスダイクロイックプリズム４４５の光束入射端面に固定する場合、まず、固定部本体４４６１のＣ字内側の空間に第１偏光板４４４Ｐ、第２偏光板４４４Ａを挿入し、バネ部材４４６５によって該空間内に、これら偏光板４４４Ｐ、４４４Ａが一定距離離間配置するように付勢しながら固定する。
【００４０】
次に、視野角補正板４４３の外形位置を位置決め部４４６４Ａにて合わせながら、視野角補正板４４３の端面を台座４４６４に熱伝導性テープまたは接着剤で貼り付けた後、クロスダイクロイックプリズム４４５の光束入射端面にパネル固定板４４６を固定する。
そして、パネル固定板４４６のピン４４６３に紫外線硬化型接着剤を塗布した後、未硬化の状態で液晶パネル４４１Ｇの孔４４１３を挿通する。
同様の手順で液晶パネル４４１Ｒ、４４１Ｂも、紫外線硬化型接着剤が未硬化の状態でパネル固定板４４６に仮止めしておき、各液晶パネル４４１Ｒ、４４１Ｇ、４４１Ｂに赤、青、緑の各色光を導入し、クロスダイクロイックプリズム４４５の光束射出端面から射出された各色光を観察しながら、液晶パネル４４１Ｒ、４４１Ｇ、４４１Ｂ相互の位置調整を行い、位置調整が終了したら、紫外線硬化型接着剤に紫外線を照射して、液晶パネル４４１Ｒ、４４１Ｇ、４４１Ｂの位置決め固定を行う。
【００４１】
(2-2)制御基板５の構造
制御基板５は、図４及び図５に示すように、光学ユニット４の上側を覆うように配置され、２段に積層配置されるメイン基板５１を備え、上段側基板５１１には、演算処理装置等の制御部本体が実装され、下側基板５１２には、各液晶パネル４４１Ｒ、４４１Ｇ、４４１Ｂの駆動用ＩＣが実装されている。また、この制御基板５は、図示を略したが、このメイン基板５１の後端側で接続され、外装ケース２の筐体背面部１１Ｄ、１２Ｄに起立するインターフェース基板を備えている。
インターフェース基板の背面側には、前述したコネクタ群１５が実装されていて、コネクタ群１５から入力する画像情報は、このインターフェース基板を介してメイン基板５１に出力される。
メイン基板５１上の演算処理装置は、入力した画像情報を演算処理した後、液晶パネル駆動用ＩＣに制御指令を出力する。駆動用ＩＣは、この制御指令に基づいて駆動信号を生成出力して液晶パネル４４１Ｒ、４４１Ｇ、４４１Ｂを駆動させ、これにより、画像情報に応じて光変調を行って光学像が形成される。
【００４２】
(2-3)電源ブロック６の構造
電源ブロック６は、光学ユニット４に隣接して、プロジェクタ１の外装ケース２の投写方向に沿って延出して設けられ、図示を略したが、電源ユニット及びランプ駆動ユニットを備えている。
電源ユニットは、前述したインレットコネクタ１７に接続された電源ケーブルを通して外部から供給された電力をランプ駆動ユニットや制御基板５等に供給するものである。
ランプ駆動ユニットは、前述した光源装置４１１に安定した電圧で電力を供給するための変換回路であり、電源ユニットから入力した商用交流電流は、このランプ駆動ユニットによって整流、変換されて、直流電流や交流矩形波電流となって光源装置４１１に供給される。
このような電源ブロック６の前方には、図３に示すように、排気ファン６１が設けられており、プロジェクタ１内部の各構成部材を冷却した空気は、この排気ファン６１によって集められ、外装ケース２の開口部２８から装置外部に排出される。
【００４３】
(2-4)冷却構造
このようなプロジェクタ１内部は、光源装置４１１や電源ブロック６の発熱により加熱されるため、内部に冷却空気を循環させて、光源装置４１１、光学装置４４、電源ブロック６を効率的に冷却させる必要がある。このため、本例では、図９に示されるように３つの冷却流路Ｃ１、Ｃ２、Ｃ３が設定されている。
冷却流路Ｃ１は、インテグレータ照明光学系４１を構成する光源装置４１１及び偏光変換素子４１５を冷却する流路であり、図２における吸気用開口部２４の装置内部に設けられるシロッコファン７１で吸引した冷却空気を、ダクト７２によってライトガイド４０の光源収納部４０１Ａの側方から光源装置４１１、偏光変換素子４１５に供給し、これらを冷却する。冷却後の空気は、排気ファン６１によって吸引され、プロジェクタ１の外部に排出される。
【００４４】
冷却流路Ｃ２は、光変調及び色合成を行う光学装置４４を冷却する流路であり、図２におけるフィルタ２３が設けられた位置に形成される吸気用開口部の装置内側に設けられるシロッコファン（後述）で吸引した冷却空気を、光学装置４４の下方から上方に向かって供給して、前記の液晶パネル４４１Ｒ、４４１Ｇ、４４１Ｂや、入射側偏光板４４２、視野角補正板４４３、射出側偏光板４４４を冷却する。冷却後の空気は、メイン基板５１の下面及びアッパーケース１１の筐体上面部１１Ａに沿って流れ、メイン基板５１に実装された回路素子を冷却しながら、排気ファン６１によって外部に排出される。
【００４５】
冷却流路Ｃ３は、電源ブロック６を冷却する流路であり、電源ブロック６の後端側に設けられる吸気ファン６２により、アッパーケース１１の筐体側面部１１Ｂに形成された開口部１１２、ロアーケース１２の筐体側面部１２Ｂに形成された開口部１２２から冷却空気を取り込み、取り込まれた冷却空気の一部は、電源ユニット及びランプ駆動ユニットに供給され、これらを冷却した後、排気ファン６１によって外部に排出される。
【００４６】
（３）ランプ駆動ユニットの構造
前述した電源ブロック６を構成する光源駆動回路としてのランプ駆動ユニット９は、図１０に示すように、電源ユニットから入力される直流電流を、交流矩形波電流に変換して、光源ランプ４１７を点灯させる回路であり、ダウンチョッパ９１、インバータブリッジ９２、イグナイタ９３、制御手段としてのコントローラ９４、及びメモリ９５を備えて構成される。
ダウンチョッパ９１は、略３００〜４００Ｖで入力する直流電圧を、光源ランプ４１７の点灯に適した略５０〜１５０Ｖに降下させる回路であり、直列接続されるコイル９１１及びダイオード９１２と、これらの素子から分岐して接続されるトランジスタ９１３及びコンデンサ９１４とを備えている。
【００４７】
コイル９１１、ダイオード９１２、及びコンデンサ９１４は、入力する直流電流の高周波成分を除去したり、整流したり、入力される直流電圧を定電力にする素子として機能する。
トランジスタ９１３は、コイル９１１及びダイオード９１２と接続される側とは反対側がグランドに接続されており、このトランジスタ９１３をスイッチング素子として利用することにより、入力した直流電流の一部がグランドに流れて、電圧が降下する。具体的には、このトランジスタ９１３のスイッチングスピード及び時定数を制御することにより、入力した直流電圧を、所望の電圧に降下させることができる。
【００４８】
インバータブリッジ９２は、直流電流を交流矩形波電流に変換する部分であり、一対のトランジスタ９２１及び一対のトランジスタ９２２を備えたブリッジ回路として構成され、光源ランプ４１７は、トランジスタ９２１及びトランジスタ９２２の間に接続されている。
このブリッジ回路には、ダウンチョッパ９１を経て整流された直流電流が入力され、トランジスタ９２１及びトランジスタ９２２にパルス信号を与えると、一対のトランジスタ９２１を含む経路と、一対のトランジスタ９２２を含む経路とが交互に短絡して電流が流れ、これにより、その間に接続された光源ランプ４１７に交流矩形波電流が流れるようになる。
【００４９】
イグナイタ９３は、光源ランプ４１７の電極間の絶縁破壊を行って、光源ランプ４１７の始動を促す回路として構成され、ダウンチョッパ９１及びインバータブリッジ９２を含む点灯装置と、光源ランプ４１７の間に、光源ランプ４１７と並列となるように接続されている。
このイグナイタ９３は、本例では、図示を略したが、高圧パルス発生回路及びこの高圧パルス発生回路が一次側に接続されるパルストランスを備え、高圧パルス発生回路で発生した高電圧パルスを、パルストランスの二次側で昇圧し、昇圧した電圧を光源ランプ４１７に印加することにより、光源ランプ４１７の電極間の絶縁が破壊され、電気的導通が確保されて光源ランプ４１７が点灯を開始する。
【００５０】
コントローラ９４は、前述したダウンチョッパ９１、インバータブリッジ９２、及びイグナイタ９３を制御する部分である。このコントローラ９４は、４ビットのマイコンチップとして構成され、内部で実行可能なプログラムとして動作するチョッパ制御部９４１、インバータ制御部９４２、イグナイタ制御部９４３、点灯モード設定部９４４、及び点灯起動検出部９４５を備えている。
定格電力付与部としてのチョッパ制御部９４１は、ダウンチョッパ９１の動作制御を行って光源ランプ４１７に定格電力を付与したり、これよりも少ない電力を付与して光源ランプの点灯を制御する部分であり、具体的には、ダウンチョッパ９１のスイッチング素子として働くトランジスタ９１３に対してパルス信号を出力して制御する。
【００５１】
インバータ制御部９４２は、インバータブリッジ９２の動作制御を行う部分であり、トランジスタ９２１及びトランジスタ９２２に対して同じパルス信号を出力してトランジスタ９２１、９２２のスイッチングを制御する。
イグナイタ制御部９４３は、イグナイタ９３の動作制御を行う部分であり、プロジェクタ１に起動操作信号が入力させると、前述したイグナイタ９３に制御信号を出力して、イグナイタ９３を動作させる。
【００５２】
点灯モード設定部９４４は、光源ランプ４１７を定格電力で点灯させるか、省電力モードで点灯させるかを設定する部分であり、詳しくは後述するが、プロジェクタ１の操作者が操作パネル１４上の操作ボタンを操作することにより設定された点灯モードを取得し、チョッパ制御部９４１に点灯モードに応じた制御を行うように促す。
点灯起動検出部９４５は、光源ランプ４１７の点灯起動がされたか否かを検出する部分であり、この点灯起動検出部９４５が起動を検出すると、点灯モード設定部９４４に設定されている点灯モードを取得するように促すとともに、イグナイタ制御部９４３にイグナイタ９３を駆動させる制御を行うように促す。
メモリ９５は、前述したチョッパ制御部９４１、インバータ制御部９４２、イグナイタ制御部９４３、点灯モード設定部９４４、及び点灯起動検出部９４５の各プログラムを格納する記憶領域として設定され、これらのプログラムは、プロジェクタ１の起動とともにコントローラ９４上に呼び出されて機能する。
【００５３】
（４）光源ランプ４１７の点灯制御方法
次に、前述した構造のプロジェクタ１における光源ランプ４１７の点灯制御方法を、図１１に示されるフローチャートに基づいて説明する。
(4-1)操作者によりプロジェクタ１の操作パネル１４の電源スイッチが押されると、メモリ９５からコントローラ９４に、前述したチョッパ制御部９４１、インバータ制御部９４２、イグナイタ制御部９４３、点灯モード設定部９４４、点灯起動検出部９４５がプログラムとして呼び出され、光源ランプ４１７の点灯準備を行い、点灯起動検出部９４５が電源スイッチが起動されたことを検出し（処理Ｓ１）、イグナイタ制御部９４３に制御指令を出力し、イグナイタ制御部９４３は、この指令に基づいてイグナイタ９３の駆動制御を開始する。
【００５４】
(4-2)点灯モード設定部９４４は、メモリ９５に記録された前回の点灯モード設定がどのような設定であったかを判定し（処理Ｓ２）、前回設定に応じた点灯制御をするように、チョッパ制御部９４１に制御指令を出力する。
(4-3)前回の点灯モードが定格電力モードであると判定された場合、チョッパ制御部９４１に制御指令を出力し、チョッパ制御部９４１は、これに基づいて、ダウンチョッパ９１に定格電力を出力するような駆動制御を行う（処理Ｓ３）。
(4-4)一方、前回の点灯モードが省電力モードであると判定された場合でも、起動当初、チョッパ制御部９４１は、ダウンチョッパ９１に定格電力を出力をするような駆動制御を行う（処理Ｓ４）。ここで、上記処理Ｓ３、Ｓ４における起動当初のダウンチョッパ９１による光源ランプ４１７は、電力の供給は、図１２のグラフＧ１に示されるように、起動開始から一定の時間をかけて直線状に増加するような方法を採用する。
【００５５】
(4-5)点灯モード設定部９４４は、起動開始からコントローラ９４に付設されるタイマ回路により時間を計測し、光源ランプ４１７が定格電力で点灯する時間が１分経過したか否かを判定する（処理Ｓ５）。ここで、本例における１分という時間は、光源ランプ４１７のハロゲンサイクルが適切となる時間として設定されたものであり、光源ランプ４１７の種類、仕様に応じて適宜変更することができる。
(4-6)点灯モード設定部９４４が１分経過したと判定すると、点灯モード設定部９４４は、省電力モードで光源ランプ４１７を点灯させるよう、チョッパ制御部９４１に制御指令を出力する（処理Ｓ６）。チョッパ制御部９４１は、この制御指令に基づいて、ダウンチョッパ９１のトランジスタ９１３にパルス信号を出力して、ダウンチョッパ９１に入力する直流電流の一部をグランド側に流して、定格電力よりも少ない電力を光源ランプ４１７に供給する。この移行に際、チョッパ制御部９４１は、瞬時に省電力モードに移行するような制御ではなく、図１２のグラフＧ１の右側部分のように移行に１秒間以上かけるような移行を行う。
【００５６】
(4-7)このようにしてダウンチョッパ９１を制御することにより、光源ランプ４１７は、設定された点灯モードに応じて点灯される（処理Ｓ７）。この間、点灯モード設定部９４４は、操作パネル１４の操作により点灯モードが変更されたか否かを監視する（処理Ｓ８）。
(4-8)点灯モード設定部９４４が点灯モードの変更を検出すると、前記と同様に変更された点灯モードへの移行を開始する（処理Ｓ９）。例えば、省電力モードから定格電力モードに移行するような変更があった場合、図１３に示されるグラフＧ２のように、１秒以上の時間をかけて省電力モードから定格電力への移行を行う。尚、操作パネル１４の操作による点灯モードは、操作パネル１４内に設けられるメニューボタンが押されると、図１４に示されるメニュー画面Ｇ３が投写画面上に表示され、そのメニュー画面中のＧ４部分にカーソルを移動させ、選択することにより変更することができる。また、プロジェクタ１の起動中変更された点灯モードは、メモリ９５内に記録保存され、次回起動時の点灯モードとして使用される。
【００５７】
（５）実施形態の効果
前述のような本実施形態によれば、次のような効果がある。
(5-1)光源ランプ４１７の点灯起動時、定格電力付与部としてのチョッパ制御部９４１により、１分間光源ランプ４１７が定格電力で点灯するため、放電管の電極が十分に加熱され、適切なハロゲンサイクルを確保することができる。従ってその後、省電力モードに移行しても、放電管の発光により内部の温度が保持されるので、ハロゲンサイクルが維持され、光源ランプ４１７を省電力モード及び定格電力モードのいずれでも点灯させることが可能となり、かつ光源ランプ４１７を適切なハロゲンサイクルの状態で点灯させることができるため、光源ランプ４１７の長寿命化を図ることができる。
【００５８】
(5-2)点灯モード間の切り換えを１秒以上の時間をかけて行うことにより、光源ランプ４１７の電極放電面の凹凸の発生を防止することができるため、アークジャンプによる発光のちらつきを防止して、プロジェクタ１の画面の明るさのちらつきを防止することができる。また、移行に際して電力の変化を直線的に行っているため、点灯モードの移行をスムースに行うことができる。
(5-3)ランプ駆動ユニット９がインバータブリッジ９２を備えていることにより、入力される直流電流を交流矩形波電流に変換して、光源ランプ４１７を点灯させることができるため、光源ランプ４１７として交流駆動式のものを採用することができ、直流式の光源に比較して明るく発光させることができる。
【００５９】
(5-4)チョッパ制御部９４１、インバータ制御部９４２、イグナイタ制御部９４３、点灯モード設定部９４４、及び点灯起動検出部９４５がコントローラ９４内で動作するプログラムとして構成されているため、ダウンチョッパ９１、インバータブリッジ９２、イグナイタ９３等の構造に変更があっても、プログラムを修正変更するだけで対応することができ、これらの制御を行うに際して、大きな構造上の変更をする必要がない。
(5-5)このようにプロジェクタ１の光源ランプ４１７を省電力モードで点灯させることにより、プロジェクタ１内部の温度上昇を少なくすることができるため、ファン６１、６２、７１の回転数を落として運転することができ、プロジェクタ１の静粛性を向上することができ、ホームシアター用途として好適である。
【００６０】
（６）実施形態の変形
尚、本発明は、前述の実施形態に限定されるものではなく、以下に示すような変形をも含むものである。
前記実施形態では、省電力モード及び定格電力モード間の移行を１秒以上の時間をかけて直線的に変化させていたが、本発明は、これに限られない。すなわち、図１５に示されるグラフＧ５のように、移行を段階的に徐々に変化させるような移行方法を採用してもよく、図１６に示されるグラフＧ６のように、移行を曲線的に変化させるような移行方法を採用してもよい。このような移行方法は、チョッパ制御部９４１から出力されるパルス信号のパルス幅、パルス周期、パルス振幅を適宜設定することにより、種々変更することができる。グラフＧ５のような移行方法であれば、デジタル的に移行しているため、マイコン等による制御に好適である。
【００６１】
また、前記実施形態では、点灯モードが定格電力モード、省電力モードの２段階しか設定されていなかったが、本発明はこれに限られない。すなわち、複数の省電力モードを備えている場合にも、本発明を採用することができ、前記と同様の作用及び効果を享受することができる。
さらに、前記実施形態では、光変調を行う装置として液晶パネル４４１Ｒ、４４１Ｇ、４４１Ｂを採用していたが本発明はこれに限られない。すなわち、マイクロミラーを用いた光変調装置や、他の変調方法の光変調装置を備えたプロジェクタに本発明を採用してもよい。
【００６２】
そして、前記実施形態では、プロジェクタ１に本発明に係る光源駆動回路を利用していたが、本発明はこれに限られず、要するに、放電管からなる光源を備えた機器であれば本発明を採用することができ、前記と同様の作用及び効果を享受できる。
また、前記実施形態では、チョッパ制御部９４１、点灯モード設定部９４４を含む種々の制御をコントローラ９４内に展開されるプログラムとして構成していたが、本発明はこれに限らず、例えば、基板上に種々の回路素子を実装して構成することもできる。
その他、本発明の実施の際の具体的な構造及び形状等は、本発明の目的を達成できる範囲で他の構造等としてもよい。
【図面の簡単な説明】
【図１】本発明の実施形態に係るプロジェクタの外観構成を表す概要斜視図。
【図２】前記実施形態におけるプロジェクタの外観構成を表す概要斜視図。
【図３】前記実施形態におけるプロジェクタの内部構成を表す概要斜視図。
【図４】前記実施形態におけるプロジェクタの内部構成を表す概要斜視図。
【図５】前記実施形態におけるプロジェクタの内部構成を表す概要斜視図。
【図６】前記実施形態における光学ユニットを収納するライトガイドの構造を表す概要斜視図。
【図７】前記実施形態における光学ユニット構造を表す模式図。
【図８】前記実施形態における光学装置の構造を表す概要斜視図。
【図９】前記実施形態における冷却流路を表す概要斜視図。
【図１０】前記実施形態における光源駆動回路の構造を表す模式図。
【図１１】前記実施形態における作用を説明するためのフローチャート。
【図１２】前記実施形態における点灯起動時の光源への供給電力の変化を表すグラフ。
【図１３】前記実施形態における点灯モード変更時の供給電力の変化を表すグラフ。
【図１４】前記実施形態における点灯モードの変更画面を表す模式図。
【図１５】前記実施形態の変形となる供給電力の変化を表すグラフ。
【図１６】前記実施形態の変形となる供給電力の変化を表すグラフ。
【符号の説明】
１…プロジェクタ、９…ランプ駆動ユニット（光源駆動回路）、４１７…光源ランプ（光源）、９４…コントローラ（制御手段）、９４１…チョッパ制御部（定格電力付与部）、９４４…点灯モード設定部
【図１】
2004207018.tif 000003
【図２】
2004207018.tif 000004
【図３】
2004207018.tif 000005
【図４】
2004207018.tif 000006
【図５】
2004207018.tif 000007
【図６】
2004207018.tif 000008
【図７】
2004207018.tif 000009
【図８】
2004207018.tif 000010
【図９】
2004207018.tif 000011
【図１０】
2004207018.tif 000012
【図１１】
2004207018.tif 000013
【図１２】
2004207018.tif 000014
【図１３】
2004207018.tif 000015
【図１４】
2004207018.tif 000016
【図１５】
2004207018.tif 000017
【図１６】
2004207018.tif 000018